(57)【特許請求の範囲】
【請求項１】
非接触媒体が近接したとき、前記非接触媒体が記憶する商品購入情報を読み取り、商品購入情報が有効であるときのみ商品を販売可能とし、更に、前記非接触媒体が再度近接したとき、前記非接触媒体が記憶する商品購入情報の内容を選択商品に応じて変更し、選択商品を販売する制御手段を、備えたことを特徴とする自動販売機の商品販売装置。
【請求項２】
前記制御手段は、前記非接触媒体が２度近接したとき、商品購入情報の中の個人識別情報の一致を検出することにより、前記非接触媒体が記憶する商品購入情報の履歴を選択商品に応じて変更し、選択商品を販売することを特徴とする請求項１記載の自動販売機の商品販売装置。
【請求項３】
前記制御手段は、前記非接触媒体が２度近接したとき、商品購入情報の中の個人識別情報の不一致を検出することにより、選択商品の販売を無効とすることを特徴とする請求項１または２記載の自動販売機の商品販売装置。
【請求項４】
前記制御手段は、販売の異常を検出することにより、前記非接触媒体の近接を要求するとともに、前記非接触媒体が記憶する商品購入情報の履歴を変更前のものに戻すことを特徴とする請求項１乃至３の何れかに記載の自動販売機の商品販売装置。
【請求項５】
前記制御手段は、前記非接触媒体の近接から次の近接までの所定の期間に要する時間が一定時間を超過したことを検出することにより、商品を販売するための処理を禁止することを特徴とする請求項１乃至４の何れかに記載の自動販売機の商品販売装置。
【請求項６】
前記制御手段は、人体センサが前記非接触媒体の近接から次の近接までの間に人体を検出しなくなったときの出力に基づいて、商品を販売するための処理を禁止することを特徴とする請求項１乃至４の何れかに記載の自動販売機の商品販売装置。
【請求項７】
前記非接触媒体は、商品購入情報を記憶する記憶部と、前記記憶部における情報の読み出しまたは書き込みを行う情報処理部と、自動販売機との間で情報を送受信する送受信部と、から成る非接触ＩＣカードであることを特徴とする請求項１乃至６の何れかに記載の自動販売機の商品販売装置。
【発明の詳細な説明】
【０００１】
【発明の属する技術分野】
本発明は、非接触媒体（非接触ＩＣカード）を利用する自動販売機の商品販売装置に関する。
【０００２】
【従来の技術】
最近では、金融、交通、物流を始めとする幅広い分野で、非接触ＩＣカードを使用する管理システムが普及し始めている。この理由は、利用者がリーダライタからの電磁波の有効範囲内に非接触ＩＣカードをかざす（近接する）だけで、非接触ＩＣカードの情報を読み書きできるという、利便性を有する点に起因する。
【０００３】
また、飲食物等の商品を取り扱う自動販売機の分野でも、非接触ＩＣカードを使用して商品を販売するものが同様に普及し始めている。以下、非接触ＩＣカードを使用して商品を販売するまでの一連の処理手順を説明する。先ず、利用者は、自動販売機の前扉に配設された複数の商品選択釦の何れかを押下し、その後、自動販売機の前扉に配設されたリーダライタの近傍で非接触ＩＣカードをかざす。次に、リーダライタは、非接触ＩＣカードから個人識別情報、履歴情報を有する商品購入情報を読み取る。次に、自動販売機内の制御部は、非接触ＩＣカードからの読み取り情報を正当であるものと判別すると、商品の払い出しを指示する。これより、自動販売機内の販売機構は、先の指示に従って、利用者が希望する商品を取出口まで搬出する。尚、上記に関連する技術は、例えば特開２０００−２６８２３９号に開示されている。
【０００４】
【発明が解決しようとする課題】
上記した複数の商品選択釦は、商品を販売可能な待機状態において、常時点灯するものと、利用者が専用の釦（またはスイッチ）を操作した後に点灯するものの、２種類がある。
【０００５】
しかし、前者の場合、点灯中の商品選択釦を簡単に押下できるので、利用者は、他人が点灯中の何れかの商品選択釦を押下したときに自動販売機に近づくと、利用者の意志に反して、利用者自身の非接触ＩＣカードが記憶する商品購入情報のうちの履歴情報（購入日時、商品コード、個数、価格等）が更新されるという不都合を被る問題があった。また、後者の場合、自動販売機の部品点数が増加するので、前者の問題を解決できる反面、自動販売機の製造および販売に要する費用が上昇し、更に、利用者が商品を購入する際の操作も煩雑となる問題があった。
【０００６】
そこで、本発明は、上記の問題を解決し、利用者が非接触媒体を２度近接することによって選択商品を購入できる、自動販売機の商品販売装置を提供することを目的とする。
【０００７】
【課題を解決するための手段】
本発明は、前記問題点を解決するために創作されたものである。
【０００８】
請求項１は、自動販売機の商品販売装置において、非接触媒体が近接したとき、前記非接触媒体が記憶する商品購入情報を読み取り、商品購入情報が有効であるときのみ商品を販売可能とし、更に、前記非接触媒体が再度近接したとき、前記非接触媒体が記憶する商品購入情報の内容を選択商品に応じて変更し、選択商品を販売する制御手段を、備えたものである。よって、非接触媒体の商品購入情報の内容を誤って変更するのを防止し、自動販売機の製造および販売に要する費用の上昇を抑止し、更に、利用者が商品を購入する際の操作を簡単とする、等の作用効果を奏する。
【０００９】
請求項２は、請求項１に係り、前記制御手段は、前記非接触媒体が２度近接したとき、商品購入情報の中の個人識別情報の一致を検出することにより、前記非接触媒体が記憶する商品購入情報の履歴を選択商品に応じて変更し、選択商品を販売するものである。請求項３は、請求項１または２に係り、前記制御手段は、前記非接触媒体が２度近接したとき、商品購入情報の中の個人識別情報の不一致を検出することにより、選択商品の販売を無効とするものである。よって、異なる非接触媒体が２度近接しても、商品購入情報の履歴の更新、および、選択商品の販売を防止する作用効果を奏する。
【００１０】
請求項４は、請求項１乃至３の何れかに係り、前記制御手段は、販売の異常を検出することにより、前記非接触媒体の近接を要求するとともに、前記非接触媒体が記憶する商品購入情報の履歴を変更前のものに戻すものである。よって、販売代金をただ取りするのを防止し、利用者に不快感を与えるのを防止する作用効果を奏する。
【００１１】
請求項５は、請求項１乃至４の何れかに係り、前記制御手段は、前記非接触媒体の近接から次の近接までの所定の期間に要する時間が一定時間を超過したことを検出することにより、商品を販売するための処理を禁止するものである。請求項６は、請求項１乃至４の何れかに係り、前記制御手段は、人体センサが前記非接触媒体の近接から次の近接までの間に人体を検出しなくなったときの出力に基づいて、商品を販売するための処理を禁止するものである。よって、利用者が商品を購入する手続きを途中で中止しても、次の利用者が商品を購入するための待機状態となる作用効果を奏する。
【００１２】
請求項７は、請求項１乃至６の何れかに係り、前記非接触媒体は、商品購入情報を記憶する記憶部と、前記記憶部における情報の読み出しまたは書き込みを行う情報処理部と、自動販売機との間で情報を送受信する送受信部と、から成る非接触ＩＣカードである。よって、非接触ＩＣカードは携行しやすいので、商品の販売を促進する作用効果を奏する。
【００１３】
【発明の実施の形態】
本発明の詳細を図面に従って具体的に説明する。
【００１４】
図１は、本発明を使用する自動販売機の正面図の一例である。尚、この自動販売機は、利用者が非接触ＩＣカードをかざすことにより、例えば缶飲料を販売するものである。
【００１５】
図１において、前扉１は、自動販売機の左側面端（または右側面端）を支軸として開閉するものであり、コラム設定、缶飲料補充等を行うときは解錠して開き、通常販売を行うときは施錠して閉じておくものである。パネル２は、透明な樹脂板であり、内部に陳列されている複数種類の缶飲料サンプル３を確認するためのものである。つまり、利用者は、パネル２を通して複数種類の缶飲料サンプル３を見渡すことにより、購入したい缶飲料を選択できる。商品選択釦４は、販売可ランプおよび売り切れランプを内蔵し、缶飲料サンプル３それぞれに対応してパネル２に設けられるものである。販売可ランプは、自動販売機内部のコラムに缶飲料が収容されている場合のみ、この缶飲料に対応するものが点灯する。売り切れランプは、自動販売機内部の所定コラムが空になると、この缶飲料に対応するものが常時点灯する。つまり、利用者が前扉１と対面して個人識別情報、履歴情報等の商品購入情報を記憶する後払い型の非接触ＩＣカード５（非接触媒体）をかざすと、後述する主制御部が非接触ＩＣカード５の個人識別情報を正当であるものと判別したとき、商品選択釦４の販売可ランプが点灯する。その後、利用者が点灯中の商品選択釦４の何れかを押下すると、この缶飲料サンプル３に対応する缶飲料が商品取出口６まで搬出される。リーダライタ７は、非接触ＩＣカード５の電源を立ち上げるための電磁波を常時発生し、非接触ＩＣカード５における商品購入情報の読み出しまたは書き込みを制御するものである。つまり、非接触ＩＣカード５は、リーダライタ７からの電磁波の有効範囲内（例えば数十cm）に近接すると、電磁誘導の作用を受けて電源が立ち上がり、商品購入情報の読み出しまたは書き込みを行う。表示部８は、非接触ＩＣカード５からの読み出し情報、この読み出し情報を用いた所定の論理演算情報、更には、販売中、販売中止等の情報を表示するものである。
【００１６】
図２は、本発明の自動販売機の商品販売装置を説明するためのブロック図である。
【００１７】
図２において、主制御部１０１は、自動販売機の制御を統括するものであり、ＲＯＭ、ＣＰＵ、ＲＡＭ、周辺回路（タイマ、レジスタ等）を内蔵するものである。詳細すると、ＲＯＭは、後述する複数の従制御部を統括制御するためのプログラムデータと、コラム設定、価格設定等のテーブルデータとが予め格納されたものである。ＣＰＵは、ＲＯＭから読み出されたプログラムデータの解読結果に従って複数の従制御部を統括制御するものである。ＲＡＭは、ＣＰＵによる演算結果、複数の従制御部からの各種データ等の書き込みおよび読み出しを行うものである。更に、ＲＡＭは、利用者の個人識別情報を基準として、販売缶飲料、価格、販売日時等を関連付けた図３のテーブルデータの書き込みおよび読み出しも行う。ハードウエア面では、ＲＯＭは、データを製造工程で焼き付け固定するマスクＲＯＭ、データを紫外線消去することによりデータを繰り返し書き込み読み出しできるＥＰＲＯＭ、またはデータを電気消去することによりデータを繰り返し書き込み読み出しできるＥＥＰＲＯＭ（フラッシュメモリを含む）等の不揮発性メモリである。ＣＰＵは、ＲＯＭの実行アドレスを指定するプログラムカウンタ、ＲＯＭからの読み出し内容を解読するインストラクションデコーダ、論理演算を行う演算論理ユニット、演算データを一時格納するアキュムレータ等を内蔵する。ＲＡＭは、ＳＲＡＭ等の揮発性メモリであり、記憶内容を保持するためのバックアップ電源（電池）を有する。カード処理制御部１０２、接客制御部１０３、販売制御部１０４、入力制御部１０５、通信制御部１０６は、複数の従制御部に相当し、ハードウエア面において、主制御部１０１と同様のＲＯＭ、ＣＰＵ、ＲＡＭを内蔵する。リーダライタ７は、送受信部１０７を介して電磁波を常時発生し、非接触ＩＣカード５との間で通信を行う。カード処理制御部１０２は、リーダライタ７を制御し、非接触ＩＣカード５からの読み出し情報の種類、正当性を判別したり、非接触ＩＣカード５からの読み出し情報を主制御部１０１に送信したり、非接触ＩＣカード５への書き込み情報をリーダライタ７に送信したりするものである。接客部１０８は、複数種類の缶飲料サンプル３に対応して設けられた複数の商品選択釦４と、表示部８とを備えたものである。接客制御部１０３は、接客部１０８を制御する。つまり、接客制御部１０３は、主制御部１０１からの缶飲料販売に関する接客指示に従って、表示部８に販売中または販売中止を表示させたり、複数の商品選択釦４毎の販売可ランプまたは売り切れランプを点灯させたり、更には、複数の商品選択釦４の何れが押下されたのかを検出し、このときの検出信号を主制御部１０１に送信したりする。販売機構１０９は、利用者が押下した商品選択釦４と対応する缶飲料を商品取出口６まで搬出させるものである。販売制御部１０４は、販売機構１０９を制御する。つまり、主制御部１０１が、カード処理制御部１０２から非接触ＩＣカード５の読み出し情報を受け取り、利用者が缶飲料を購入する資格を持つものと判別すると、販売制御部１０４は、接客制御部１０３からの前記検出信号に応答した主制御部１０１からの販売指示に従って、利用者が押下した商品選択釦４と対応する缶飲料を商品取出口６まで搬出させる。キー入力部１１０は、前扉１の背面に着脱自在に配設され、コラム設定、価格設定等のデータを入力するためのものである。入力制御部１０５は、キー入力部１１０からの設定データを主制御部１０１に送信するためのインターフェイスを行うものである。通信制御部１０６は、飲料製造会社またはオペレータ会社の管理コンピュータ、管理サーバ等と通信回線を介して接続され、主制御部１０１のＲＡＭのテーブルデータを一定時間（１日、１週間等）単位で送信し、故障データをリアルタイムで送信するものである。
【００１８】
非接触ＩＣカード５は、主制御部１０１と同様のＲＯＭ、ＣＰＵ、ＲＡＭと、リーダライタ７からの電磁波を受け取るコイルアンテナ１１１と、リーダライタ７との間で通信を行う送受信部１１２と、を内蔵する。ＲＯＭは、データを書き換え可能なＥＥＰＲＯＭ等の不揮発性メモリであり、リーダライタ７との間の通信を制御するためのプログラムデータを記憶したものである。
【００１９】
図４は、本発明を使用するネットワークシステムを説明するための図である。
【００２０】
図４において、自動販売機２０１は、図１および図２で説明したとおりのものであり、非接触ＩＣカード５の個人識別情報が正当であるとき、利用者が希望する缶飲料を販売するものである。第１管理サーバ２０２は、飲料製造会社またはオペレータ会社が管理し、第２管理サーバ２０４は、銀行が管理し、第３管理サーバ２０５は、クレジット会社が管理するものであり、ともにインターネット２０３上の１Ｗｅｂである。先ず、飲料製造会社またはオペレータ会社は、利用者からの要求に応じて、個人識別情報および履歴情報をＲＡＭに記憶する形式の非接触ＩＣカード５を発行する。更に、飲料製造会社またはオペレータ会社は、個人識別情報と後払い決済先情報（銀行の口座番号、クレジット会社のＩＤ番号等）とを関連付けて第１管理サーバ２０２に登録する。第１管理サーバ２０２は、個人識別情報を通信回線２０６を介して管轄地域内の自動販売機２０１に送信する。自動販売機２０１の主制御部１０１は、缶飲料を販売するその都度、個人識別情報を基準とする図３のテーブルデータを更新してＲＡＭに記憶し、一定時間（１日、１週間等）毎に第１管理サーバ２０２に送信する。第１管理サーバ２０２は、自動販売機２０１からの図３のテーブルデータを集計し、個人識別情報を基準として、購入累計金額、後払い決済先情報等を関連付けた図５のテーブルデータを作成する。第１管理サーバ２０２は、図５のテーブルデータを一定時間（１ヶ月）毎に第２管理サーバ２０４および第３管理サーバ２０５に分割して送信する。これより、第２管理サーバ２０４および第３管理サーバ２０５は、図５のテーブルデータを参照して決済処理を行う。
【００２１】
図６および図７は、本発明の自動販売機の商品販売装置の動作を説明するためのフローチャートである。
【００２２】
先ず、利用者が、非接触ＩＣカード５をリーダライタ７の近傍でかざすと、リーダライタ７は、非接触ＩＣカード５のＲＡＭの記憶情報（正当であれば、個人識別情報）を読み取り、カード処理制御部１０２に送信する。カード処理制御部１０２は、リーダライタ７からの読み取り情報を主制御部１０１に送信する。これより、主制御部１０１は、カード処理制御部１０２からの情報を割り込み要求として受信するとともにレジスタに保持し、缶飲料を販売するための処理を開始する（Ａ１）。
【００２３】
主制御部１０１は、カード処理制御部１０２がリーダライタ７からの読み取り情報を後述するステップＡ１２まで受信しないための禁止信号を、カード処理制御部１０２に送信する。これより、カード処理制御部１０２は、リーダライタ７からの読み取り情報を一度受信すると、その後、リーダライタ７からの他の読み取り情報を一切受信しなくなるので、個人識別情報に基づく履歴情報の誤演算を防止できる（Ａ２）。
【００２４】
主制御部１０１は、レジスタの情報とＲＡＭの複数の個人識別情報とを逐次比較する（Ａ３）。主制御部１０１は、レジスタの情報がＲＡＭの複数の個人識別情報の何れとも一致しないものと判別すると、即ち、非接触ＩＣカード５が飲料製造会社またはオペレータ会社の発行物ではないものと判別すると（Ａ４：ＮＯ）、レジスタの情報を消去して処理を終了する。一方、主制御部１０１は、レジスタの情報がＲＡＭの複数の個人識別情報の何れかと一致したものと判別すると、即ち、非接触ＩＣカード５が飲料製造会社またはオペレータ会社の発行物であるものと判別すると（Ａ４：ＹＥＳ）、現時点での売り切れを除く商品選択釦４の販売可ランプを点灯するための信号を接客制御部１０３に送信する。これより、この商品選択釦４の販売可ランプが点灯する（Ａ５）。
【００２５】
主制御部１０１は、上記のステップＡ５の商品選択釦４の販売可ランプを点灯するための信号を出力すると、タイマをリセットするとともに自走または他走の発振クロックを所定分周した１秒信号を供給して計数開始する（Ａ６）。
【００２６】
主制御部１０１は、タイマが計数開始すると、接客制御部１０３からの商品選択釦４の押下信号を受信したかどうかを判別する（Ａ７）。主制御部１０１は、接客制御部１０３からの商品選択釦４の押下信号を受信していないものと判別すると（Ａ７：ＮＯ）、更に、タイマがＴ１（例えば３０秒）を計数したかどうかを判別する（Ａ８）。主制御部１０１は、タイマがＴ１を計数していないものと判別すると（Ａ８：ＮＯ）、上記のステップＡ７を再度実行し、タイマがＴ１を計数したものと判別すると（Ａ８：ＹＥＳ）、利用者が缶飲料を購入する意志を持たないものと見なし、タイマの計数を停止するとともにレジスタの情報を消去し、点灯中の商品選択釦４の販売可ランプを消灯するための信号を接客制御部１０３に送信する。これより、点灯中の商品選択釦４の販売可ランプが消灯して、ステップＡ７以降の処理を実行せずに終了する（Ｓ９）。一方、主制御部１０１は、接客制御部１０３からの商品選択釦４の押下信号を受信したものと判別すると（Ａ７：ＹＥＳ）、ＲＡＭのテーブルデータの中で、この利用者の個人識別情報を基準とする現在の履歴情報に、商品選択釦４の押下信号が表す販売缶飲料、価格、販売日時の情報を追加して更新する（Ａ１０）。
【００２７】
主制御部１０１は、更新後の履歴情報をカード処理制御部１０２に送信する。カード処理制御部１０２は、更新後の履歴情報を保持する（Ａ１１）。
【００２８】
主制御部１０１は、カード処理制御部１０２がリーダライタ７からの読み取り情報を受信再開するための許可信号を送信する（Ａ１２）。
【００２９】
主制御部１０１は、利用者が非接触ＩＣカード５をかざすことを促すための表示信号を接客制御部１０３に送信する。接客制御部１０３は、この表示信号に応答して、「カードヲ  カザシテクダサイ」等の案内文を表示部８に表示する。これより、利用者は、非接触ＩＣカード５を再度かざすことを確認する。つまり、利用者が、非接触ＩＣカード５をリーダライタ７の近傍でかざすと、リーダライタ７は、非接触ＩＣカード５が記憶する個人識別情報を読み取り、カード処理制御部１０２に送信する。カード処理制御部１０２は、リーダライタ７からの個人識別情報を主制御部１０１に送信する（Ａ１３）。
【００３０】
主制御部１０１は、上記のステップＡ１３の表示信号を出力すると、タイマを再度リセットするとともに１秒信号を供給して計数開始する（Ａ１４）。
【００３１】
主制御部１０１は、タイマが計数開始すると、カード処理制御部１０２からの個人識別情報を受信したかどうかを判別する（Ａ１５）。主制御部１０１は、カード処理制御部１０２からの個人識別情報を受信していないものと判別すると（Ａ１５：ＮＯ）、更に、タイマがＴ２（例えば３０秒）を計数したかどうかを判別する（Ａ１６）。主制御部１０１は、タイマがＴ２を計数していないものと判別すると（Ａ１６：ＮＯ）、上記のステップＡ１５を再度実行し、タイマがＴ２を計数したものと判別すると（Ａ１６：ＹＥＳ）、利用者が缶飲料を購入する意志を持たないものと見なし、タイマの計数を停止するとともにＲＡＭ内の利用者の履歴情報を更新前の内容に戻し、カード処理制御部１０２が保持する更新後の履歴情報を無効とする。これより、ステップＡ１５以降の処理を実行せずに終了する（Ａ１７）。一方、主制御部１０１は、カード処理制御部１０２からの個人識別情報を受信したものと判別すると（Ａ１５：ＹＥＳ）、更に、カード処理制御部１０２からの個人識別情報がレジスタの個人識別情報と一致するかどうかを判別する（Ａ１８）。主制御部１０１は、カード処理制御部１０２からの個人識別情報がレジスタの個人識別情報と一致しないものと判別すると（Ａ１８：ＮＯ）、利用者が異なる非接触ＩＣカード５をかざしたものと見なし、上記のステップＡ１７を再度実行し、ステップＡ１８以降の処理を実行せずに終了する。一方、主制御部１０１は、カード処理制御部１０２からの個人識別情報がレジスタの個人識別情報と一致するものと判別すると（Ａ１８：ＹＥＳ）、非接触ＩＣカード５のＲＡＭが記憶する現在の履歴情報を更新後の履歴情報に書き換えるための書換信号をカード処理制御部１０２に送信する。カード処理制御部１０２は、書換信号に応答して、更新後の履歴情報をリーダライタ７を介して非接触ＩＣカード５に送信する。非接触ＩＣカード５は、ＲＡＭの現在の履歴情報を更新後の履歴情報に書き換え、書換終了信号をリーダライタ７を介してカード処理制御部１０２に送信する。カード処理制御部１０２は、書換終了信号を主制御部１０１に送信する。これより、主制御部１０１のＲＡＭの履歴情報および非接触ＩＣカード５のＲＡＭの履歴情報が、整合を取れて一致する（Ａ１９）。
【００３２】
つまり、主制御部１０１は、利用者が非接触ＩＣカード５を再度かざす１〜２秒の間に、上記のステップＡ１５、Ａ１７、Ａ１８、Ａ１９を実行する。
【００３３】
主制御部１０１は、カード処理制御部１０２からの書換終了信号を受信したものと判別すると（Ａ２０：ＹＥＳ）、商品選択釦４の押下信号と対応する販売信号を販売制御部１０４に送信する。販売制御部１０４は、販売信号に応答して、利用者が希望する缶飲料を販売機構１０８から払い出し、販売終了信号を主制御部１０１に送信する（Ａ２１）。
【００３４】
主制御部１０１は、販売制御部１０４からの販売終了信号を受信したかどうかを判別する（Ａ２２）。主制御部１０１は、販売制御部１０４からの販売終了信号を受信したものと判別すると（Ａ２２：ＹＥＳ）、利用者が希望する缶飲料を正常に販売したものとして、処理を終了する。一方、主制御部１０１は、販売制御部１０４からの販売終了信号を受信していないものと判別すると（Ａ２２：ＮＯ）、更に、販売制御部１０４からの販売異常信号を受信したかどうかを判別する（Ａ２３）。主制御部１０１は、販売制御部１０４からの販売異常信号を受信していないものと判別すると（Ａ２３：ＮＯ）、上記のステップＡ２２を再度実行し、販売制御部１０４からの販売異常信号を受信したものと判別すると（Ａ２３：ＹＥＳ）、ＲＡＭのテーブルデータの中で、この利用者の個人識別情報を基準とする現在の履歴情報を更新前の履歴情報に戻す。更に、主制御部１０１は、更新前の履歴情報をカード処理制御部１０２に送信する。カード処理制御部１０２は、更新前の履歴情報を保持する（Ａ２４）。
【００３５】
主制御部１０１は、利用者が非接触ＩＣカード５をかざすことを促すための表示信号を接客制御部１０３に送信する。接客制御部１０３は、この表示信号に応答して、「カードヲ  カザシテクダサイ  ヘンキンシマス」等の案内文を表示部８に表示する。これより、利用者は、非接触ＩＣカード５を再度かざすことを確認する。つまり、利用者が、非接触ＩＣカード５をリーダライタ７の近傍でかざすと、リーダライタ７は、非接触ＩＣカード５が記憶する個人識別情報を読み取り、カード処理制御部１０２に送信する。カード処理制御部１０２は、リーダライタ７からの個人識別情報を主制御部１０１に送信する（Ａ２５）。
【００３６】
主制御部１０１は、カード処理制御部１０２からの個人識別情報を受信したかどうかを判別する（Ａ２６）。主制御部１０１は、カード処理制御部１０２からの個人識別情報を受信したものと判別すると（Ａ２６：ＹＥＳ）、更に、カード処理制御部１０２からの個人識別情報がレジスタの個人識別情報と一致するかどうかを判別する（Ａ２７）。主制御部１０１は、カード処理制御部１０２からの個人識別情報がレジスタの個人識別情報と一致しないものと判別すると（Ａ２７：ＮＯ）、上記のステップＡ２５を再度実行する。一方、主制御部１０１は、カード処理制御部１０２からの個人識別情報がレジスタの個人識別情報と一致したものと判別すると（Ａ２７：ＹＥＳ）、非接触ＩＣカード５のＲＡＭが記憶する現在の履歴情報を更新前の履歴情報に書き換えるための書換信号をカード処理制御部１０２に送信する。カード処理制御部１０２は、書換信号に応答して、更新前の履歴情報をリーダライタ７を介して非接触ＩＣカード５に送信する。非接触ＩＣカード５は、ＲＡＭの現在の履歴情報を更新前の履歴情報に書き換え、書換終了信号をリーダライタ７を介してカード処理制御部１０２に送信する。カード処理制御部１０２は、書換終了信号を主制御部１０１に送信する（Ａ２８）。主制御部１０１は、カード処理制御部１０２からの書換終了信号を受信したものと判別すると（Ａ２９：ＹＥＳ）、処理を終了する。
【００３７】
以上より、利用者は、非接触ＩＣカード５が記憶する購入履歴を読取装置（図示せず）で容易に確認できるので、後払い決済の誤りを発見できる。また、インターネット２０３を利用するので、早期の後払い決済を実現できる。
【００３８】
尚、上記のタイマの代わりに、人体センサが非接触ＩＣカード５の近接から次の近接までの間に人体を検出しなくなったときの出力に基づいて、缶飲料を販売するための処理を禁止するようにしてもよい。
【００３９】
本発明における他の実施の形態を以下に説明する。自動販売機が取り扱う商品の中には、煙草、アルコール飲料のように未成年者への販売を禁止しなければならない商品もあり、このような自動販売機では商品を購入しようとしている利用者が未成年者であるかどうかを確実に判別しなければならず、例えば運転免許証を取り込んでその中の生年月日情報を光学的に読み取って未成年者であるかどうかを判別したりしている。しかし、自動販売機に光学的な読み取り手段を設けても、偽造された運転免許証を確実に判別できるものでもなく、また正式な運転免許証であっても汚れていたりすると生年月日情報を確実に読み取ることができなくなったりして、生年月日情報から利用者の年齢を判別する点で信頼性に問題があるのが事実である。また利用者の生年月日情報を磁気データまたは電子データ（バイナリデータ）の形で予め記憶したカードを当該利用者に予め配布しておき、自動販売機がこのカードを取り込んで当該利用者の年齢を判別する技術も考えられている。しかし、この場合でもカードを自動販売機内部に一旦取り込まなければならず、利用者が商品を購入した際にカードを取り忘れて結局のところカードを紛失してしまう恐れがある。この問題を解決するためにカード取り忘れ防止策として表示器にメッセージを表示したりブザーで警告したりすることも考えられるが、結局のところこれはコストアップにつながり好ましいことではない。更に、自動販売機にカードを差し込んだりその後カードを抜き取ったりする操作は、カードが利用者の手から一旦離れてしまうのでスムーズな購入動作を行うことができない問題もある。
【００４０】
こういった点から、利用者の購入操作をスムーズにするとともに利用者が未成年者であるかどうかを確実に判別するために、非接触ＩＣカードを媒体として自動販売機で利用者の年齢を判別させる好ましい実施形態を考えた。詳述すると、自動販売機を正当に管理できる管理会社等が、利用者の年齢を判別する機能を有する自動販売機を用意して必要とされる各ロケーションに設置し、更に各利用者からの登録申請に応じて、商品購入の際に必要となる各利用者の生年月日情報（商品購入情報）を内部メモリに記憶した非接触ＩＣカードを各利用者毎に作成して事前に郵送等で配布しておく。尚、この非接触ＩＣカードの内部メモリは、消費購入情報として、生年月日情報の他に商品購入に関する履歴情報を記憶するエリアを有している。
【００４１】
先ず利用者は、自動販売機と対面し、生年月日情報および履歴情報が記憶されている非接触ＩＣカードを自動販売機に近接する。これによって、自動販売機の主制御部１０１では、リーダライタ７から取り込まれた生年月日情報と現在の日時情報との差から当該利用者の年齢を算出し、未成年者であるかどうかを判別する。このとき、主制御部１０１では利用者が未成年者であるものと判別すると、その後の販売処理を実行せずに、このときリーダライタが取り込んだ全情報を消去して一連の処理を終了する。一方、主制御部１０１が利用者を未成年者ではなく２０歳以上であるものと判別すると、煙草、アルコール飲料等の商品に対応する商品選択釦４を点灯するための信号を接客制御部１０３に送信し、これによって該当する商品選択釦４が点灯する。その後、利用者が希望する商品選択釦４を押下して非接触ＩＣカードを自動販売機に再度近接させると、主制御部１０１が演算処理した新たな履歴情報を、カード処理制御部１０２およびリーダライタ７を経由して非接触ＩＣカードに送信し、内部メモリの古い履歴情報を新たな履歴情報に更新する。尚、主制御部１０１が利用者を未成年者ではないものと判別したあとの制御シーケンスは、図６および図７と同様であるため、この点における詳細説明は省略するものとする。
【００４２】
これより、自動販売機としては、自動販売機を正当に管理する管理会社等が非接触ＩＣカードを配布するので、利用者の生年月日情報から当該利用者が未成年者であるかどうかを確実に判別でき、未成年者への成人向け商品の販売を確実に防止できる。更に、利用者としては、未成年者判別機能を非接触ＩＣカードで実現するので、カードを手に持ったまま未成年者識別から商品販売までの一連の処理をスムーズに行うことができ、カードを紛失したりする問題を解決することができる。
【００４３】
【発明の効果】
本発明によれば、以下の利点を有する。
【００４４】
請求項１は、自動販売機の商品販売装置において、非接触媒体が近接したとき、前記非接触媒体が記憶する商品購入情報を読み取り、商品購入情報が有効であるときのみ商品を販売可能とし、更に、前記非接触媒体が再度近接したとき、前記非接触媒体が記憶する商品購入情報の内容を選択商品に応じて変更し、選択商品を販売する制御手段を、備えたものである。よって、非接触媒体の商品購入情報の内容を誤って変更するのを防止し、自動販売機の製造および販売に要する費用の上昇を抑止し、更に、利用者が商品を購入する際の操作を簡単とすることができる。
【００４５】
請求項２は、請求項１に係り、前記制御手段は、前記非接触媒体が２度近接したとき、商品購入情報の中の個人識別情報の一致を検出することにより、前記非接触媒体が記憶する商品購入情報の履歴を選択商品に応じて変更し、選択商品を販売するものである。請求項３は、請求項１または２に係り、前記制御手段は、前記非接触媒体が２度近接したとき、商品購入情報の中の個人識別情報の不一致を検出することにより、選択商品の販売を無効とするものである。よって、異なる非接触媒体が２度近接しても、商品購入情報の履歴の更新、および、選択商品の販売を防止することができる。
【００４６】
請求項４は、請求項１乃至３の何れかに係り、前記制御手段は、販売の異常を検出することにより、前記非接触媒体の近接を要求するとともに、前記非接触媒体が記憶する商品購入情報の履歴を変更前のものに戻すものである。よって、販売代金をただ取りするのを防止し、利用者に不快感を与えるのを防止することができる。
【００４７】
請求項５は、請求項１乃至４の何れかに係り、前記制御手段は、前記非接触媒体の近接から次の近接までの所定の期間に要する時間が一定時間を超過したことを検出することにより、商品を販売するための処理を禁止するものである。請求項６は、請求項１乃至４の何れかに係り、前記制御手段は、人体センサが前記非接触媒体の近接から次の近接までの間に人体を検出しなくなったときの出力に基づいて、商品を販売するための処理を禁止するものである。よって、利用者が商品を購入する手続きを途中で中止しても、次の利用者が商品を購入するための待機状態とすることができる。
【００４８】
請求項７は、請求項１乃至６の何れかに係り、前記非接触媒体は、商品購入情報を記憶する記憶部と、前記記憶部における情報の読み出しまたは書き込みを行う情報処理部と、自動販売機との間で情報を送受信する送受信部と、から成る非接触ＩＣカードである。よって、非接触ＩＣカードは携行しやすいので、商品の販売を促進することができる。
【図面の簡単な説明】
【図１】本発明を使用する自動販売機の正面図の一例である。
【図２】本発明の自動販売機の商品販売装置を説明するためのブロック図である。
【図３】本発明を使用する自動販売機のＲＡＭテーブルを示す図である。
【図４】本発明を使用するネットワームシステムを説明するための図である。
【図５】本発明を使用するネットワークシステムの管理テーブルを示す図である。
【図６】本発明の自動販売機の商品販売装置の動作前半を説明するためのフローチャートである。
【図７】本発明の自動販売機の商品販売装置の動作後半を説明するためのフローチャートである。
【符号の説明】
５  非接触ＩＣカード
７  リーダライタ
１０１  主制御部
１０２  カード処理制御部
１０３  接客制御部
１０４  販売制御部
１０６  通信制御部
１０８  接客部
１０９  販売機構
【図１】
0003706925.tif 000002
【図２】
0003706925.tif 000003
【図３】
0003706925.tif 000004
【図４】
0003706925.tif 000005
【図５】
0003706925.tif 000006
【図６】
0003706925.tif 000007
【図７】
0003706925.tif 000008